(57)【要約】【課題】患者の体型によらず、歯科用チェアにおいて背面部を倒した場合にヘッドレストから患者の頭部がずれることを抑制する。【解決手段】シート部材３０は、背もたれ部２０と着座部１２とを有し着座部１２に対する背もたれ部２０の傾斜角度を調整可能な歯科用チェア２に取り付け可能なシート部材３０であって、歯科用チェア２の背もたれ部２０に取り付けられ、患者が寄りかかる背面シート３２と、背面シート３２から突出し、患者が座るロール状座部３１とを有する。【選択図】図７
2016209108.tif 000002
【特許請求の範囲】
【請求項１】
背面と座面とを有し当該座面に対する当該背面の傾斜角度を調整可能な歯科用チェアに取り付け可能なシート部材であって、
前記歯科用チェアの前記背面に取り付けられ、患者が寄りかかる背面シートと、
前記背面シートから突出し、患者が座る座部と
を有するシート部材。
【請求項２】
前記座部には、当該座部に座る患者が掴むための掴み部が設けられていることを特徴とする請求項１に記載のシート部材。
【請求項３】
前記座部は、円筒形状を有することを特徴とする請求項１または２に記載のシート部材。
【請求項４】
患者が座る着座シートと、
前記着座シートに対し傾斜角度を調整可能に構成され、患者が寄りかかる背面シートと、
前記背面シートの上部に設けられ、患者が頭を載せるヘッドレストと、
前記背面シートから突出し、前記着座シートに対して当該背面シートが立てられた状態では、当該着座シートに代えて患者が座る座部と
を備える歯科用チェア。
【請求項５】
前記座部は、前記背面シートから突出した状態と、当該背面シートに収納された状態とに切り替え可能に構成されることを特徴とする請求項４に記載の歯科用チェア。
【請求項６】
前記座部は、前記背面シートの傾斜角度が調整される場合に当該背面シートに連動して移動することを特徴とする請求項４または５に記載の歯科用チェア。
【請求項７】
ヘッドレストに患者の頭を載せて診療を行う歯科用チェアに取り付けられる子供用のシート部材であって、
患者が寄りかかる背面シートと、
前記背面シートから突出し、患者が座る位置から前記ヘッドレストまでの距離を短くする円筒形状のロール状座部と
を備える子供用のシート部材。
【請求項８】
背面と座面とを有する歯科用チェアに取り付けられるシート部材であって、
前記座面に座った患者が寄りかかる背面シートと、
前記背面シートから突出した状態と、前記背面シートに収容された状態とに切り替えられ、当該背面シートから突出した状態では前記座面に代えて患者が座る部分を構成し、当該背面シートに収容された状態では当該座面に座った患者の姿勢を阻害しない座部と
を備えるシート部材。
【発明の詳細な説明】
【技術分野】
【０００１】
本発明は、シート部材および歯科用チェアに関する。
【背景技術】
【０００２】
従来、歯科の診療を受ける際に患者が座る歯科用チェアが存在する。歯科用チェアは、例えば、患者が着座する着座部と、着座部に対して傾斜角度が調整可能であり患者が寄りかかる背面部と、背面部の上方に設けられ患者が頭を載せるヘッドレストとを有している。このような歯科用チェアでは、通常、着座部に患者が座った後、背面部を後方に倒した状態で、診療を行う。
【０００３】
一般に、歯科用チェアの着座部や背面部の大きさ、着座部からヘッドレストまでの距離等は、大人用に設計されており、例えば身長が低い子供等の患者が歯科用チェアの着座部に座った場合、患者の頭部がヘッドレストまで届かない場合がある。
このような問題に対し、特許文献１には、マット状シートを備える歯科用チェアが開示されている。そして、特許文献１の歯科用チェアでは、身長が低い子供等の患者に対して診療を行う際に、マット状シートを折り畳んでセットすることで背面シートの長さを短くし、患者の頭部がヘッドレストに届きやすくなるようにしている。
【先行技術文献】
【特許文献】
【０００４】
【特許文献１】特開２００６−１０２４４５号公報
【発明の概要】
【発明が解決しようとする課題】
【０００５】
ところで、歯科用チェアでは、通常、着座部に対して背面部を傾斜させる際の支点が患者の腰の位置と異なる。このため、例えば、身長が低い子供等の患者に対して診療を行う場合に、背面部が立った状態で患者の頭部の位置をヘッドレストに合わせた場合であっても、背面部を倒すことによって頭部の位置がヘッドレストからずれてしまう場合がある。
本発明は、患者の体型によらず、歯科用チェアにおいて背面部を倒した場合にヘッドレストから患者の頭部がずれることを抑制することを目的とする。
【課題を解決するための手段】
【０００６】
上記課題に鑑み、本発明が適用されるシート部材は、背面と座面とを有し当該座面に対する当該背面の傾斜角度を調整可能な歯科用チェアに取り付け可能なシート部材であって、前記歯科用チェアの前記背面に取り付けられ、患者が寄りかかる背面シートと、前記背面シートから突出し、患者が座る座部とを有するシート部材である。
また、前記座部には、当該座部に座る患者が掴むための掴み部が設けられていることを特徴とすることができる。この場合、掴み部を設けない場合と比較して、患者が座部に安定して座ることが可能になる。
さらに、前記座部は、円筒形状を有することを特徴とすることができる。この場合、本構成を採用しない場合と比較して、患者の姿勢が座部により妨げられることが抑制される。
【０００７】
また、他の観点から捉えると、本発明が適用される歯科用チェアは、患者が座る着座シートと、前記着座シートに対し傾斜角度を調整可能に構成され、患者が寄りかかる背面シートと、前記背面シートの上部に設けられ、患者が頭を載せるヘッドレストと、前記背面シートから突出し、前記着座シートに対して当該背面シートが立てられた状態では、当該着座シートに代えて患者が座る座部とを備える歯科用チェアである。
また、前記座部は、前記背面シートから突出した状態と、当該背面シートに収納された状態とに切り替え可能に構成されることを特徴とすることができる。この場合、歯科用チェアを、患者が大人である場合と子供である場合とで併用することが可能となる。
さらに、前記座部は、前記背面シートの傾斜角度が調整される場合に当該背面シートに連動して移動することを特徴とすることができる。この場合、背面シートを倒すのに伴うヘッドレストからの頭部のずれがより抑制される。
【０００８】
さらに、他の観点から捉えると、本発明が適用されるシート部材は、ヘッドレストに患者の頭を載せて診療を行う歯科用チェアに取り付けられる子供用のシート部材であって、患者が寄りかかる背面シートと、前記背面シートから突出し、患者が座る位置から前記ヘッドレストまでの距離を短くする円筒形状のロール状座部とを備える子供用のシート部材である。
さらにまた、他の観点から捉えると、本発明が適用されるシート部材は、背面と座面とを有する歯科用チェアに取り付けられるシート部材であって、前記座面に座った患者が寄りかかる背面シートと、前記背面シートから突出した状態と、前記背面シートに収容された状態とに切り替えられ、当該背面シートから突出した状態では前記座面に代えて患者が座る部分を構成し、当該背面シートに収容された状態では当該座面に座った患者の姿勢を阻害しない座部とを備えるシート部材である。
【発明の効果】
【０００９】
本発明によれば、歯科用チェアにおいて背面部を倒した場合に、ヘッドレストから患者の頭部がずれることが抑制される。
【図面の簡単な説明】
【００１０】
【図１】本実施の形態が適用される歯科用診療装置の全体構成を示した斜視図である。
【図２】シート部材を外した状態の背もたれ部の状態を示した図である。
【図３】本実施の形態が適用されるシート部材の構成を示した図である。
【図４】（ａ）〜（ｂ）は、本実施の形態が適用されるシート部材の構成を示した図である。
【図５】本実施の形態が適用されるロール状座部の構成を示した斜視図である。
【図６】背面部に対してシート部材を取り付けた歯科用チェアの状態を説明するための図である。
【図７】（ａ）〜（ｂ）は、歯科用チェアに患者が座った歯科用診療装置の状態を示した図である。
【図８】（ａ）〜（ｂ）は、歯科用チェアに患者が座った歯科用診療装置の状態を示した図である。
【図９】（ａ）〜（ｂ）は、シート部材の取り付け方法を示した図である。
【図１０】（ａ）〜（ｂ）は、実施の形態２が適用されるシート部材の構成を示した図である。
【発明を実施するための形態】
【００１１】
（実施の形態１）
以下、添付図面を参照して、本発明の実施の形態について説明する。
図１は、本実施の形態が適用される歯科用診療装置１の全体構成を示した斜視図である。
図１に示すように、本実施の形態が適用される歯科用診療装置１は、床面の上に、診療を受ける患者が座る歯科用チェア２を備えている。また、歯科用診療装置１には、歯科用チェア２の脇に、医師用トレーテーブル３が設けられるとともに、インスツルメントホルダ４が設けられている。さらに、歯科用診療装置１には、光源を備えたデンタルライト５とデンタルライト５を支持する支柱６が設けられている。さらにまた、本実施の形態の歯科用診療装置１では、歯科用チェア２の脇に、患者がうがいを行う際に用いるコップに対して水を供給する供給装置（スピットン装置）７が設けられている。
【００１２】
続いて、歯科用チェア２の構成について説明する。
図１に示すように、本実施の形態の歯科用チェア２には、床面に置かれる基台部１１が設けられている。また、歯科用チェア２には、基台部１１上に設けられ診療を受ける患者が着座する座面または着座シートの一例としての着座部１２、着座部１２の後方に設けられ着座部１２に着座した患者が寄りかかる背面の一例としての背もたれ部２０が設けられている。さらに、歯科用チェア２には、着座部１２の後方と背もたれ部２０の下方とを接続し、医師等による操作に基づいて着座部１２に対する背もたれ部２０の角度を変更する接続部１３が設けられている。さらにまた、歯科用チェア２には、着座部１２の上方に設けられ着座部１２に着座した患者が頭を載せるヘッドレスト１４、着座部１２の脇に設けられ着座部１２に着座した患者が腕を載せるアームレスト１５が設けられている。
【００１３】
基台部１１は、床面に置かれる箱状の筐体部１１１、筐体部１１１から延び着座部１２の下方に接続されるアーム部１１２を備えている。筐体部１１１の内部には、アーム部１１２を動作させるための駆動装置（不図示）や歯科用診療装置１の各部を制御するための制御装置（不図示）が収容されている。アーム部１１２は、駆動装置により、図中矢印Ａで示すように床面に対する角度が変化するように駆動される。これにより、図中矢印Ｂで示すように、着座部１２が鉛直上下方向に昇降される。また、着座部１２の昇降に応じて、着座部１２に接続される背もたれ部２０、ヘッドレスト１４およびアームレスト１５も一体として昇降される。
【００１４】
着座部１２は、上述したように、基台部１１におけるアーム部１１２の先端に取り付けられている。着座部１２の表面には、弾性を有するクッション材１２１が設けられている。そして、歯科用診療装置１にて診療を行う場合には、患者は、クッション材１２１の後方（図１の左側）に腰かけるとともに、前方（図１の右側）に足を伸ばした状態で座る。
なお、詳細については後述するが、例えば身長の小さい子供等の患者に対して診療を行う場合には、患者は、背もたれ部２０に取り付けられたシート部材３０の後述するロール状座部３１に腰かけ、着座部１２のクッション材１２１に足を載せた状態で座る。
【００１５】
背もたれ部２０は、接続部１３を介して着座部１２の後端に取り付けられる背面部２１と、背面部２１に対して取り付けられるシート部材３０とを備えている。本実施の形態の歯科用チェア２では、シート部材３０は、背面部２１から取り外し可能となっている。
ここで、シート部材３０には、大人や身長の高い子供等の患者に対して診療を行う場合に、着座部１２に座った患者が寄りかかるための通常のシート部材と、身長の低い子供等や腰の曲げ伸ばしが困難な老人等の患者に対して診療を行う場合に、患者が着座し且つ寄りかかるための子供用シート部材が存在する。ここで、図１には、シート部材３０として子供用シート部材が背面部２１に取り付けられた例を示している。
【００１６】
図２は、シート部材３０（図１参照）を外した状態の背もたれ部２０の状態を示した図である。
図２に示すように、背もたれ部２０の背面部２１には、シート部材３０の後述する鉤状部３３１（図４（ｂ）参照）が引っ掛けられる引っ掛け部２１１が設けられている。引っ掛け部２１１は、背面部２１の上方側に２つ設けられている。
また、背面部２１には、シート部材３０の後述する係合部３３２（図４（ｂ）参照）が係合される受け部２１２が設けられている。受け部２１２は、背面部２１において引っ掛け部２１１の下方の左右両側にそれぞれ設けられている。
【００１７】
本実施の形態では、引っ掛け部２１１に対してシート部材３０の鉤状部３３１が上方側から差し込まれるとともに、受け部２１２に対してシート部材３０の係合部３３２が正面側から押し込まれることで、背面部２１にシート部材３０が位置決めされ取り付けられる。なお、背もたれ部２０に対するシート部材３０の取り付け方法等については後述する。
【００１８】
図１に戻り、ヘッドレスト１４は、背もたれ部２０における背面部２１の上端（すなわち、接続部１３に接続される側とは反対側）に設けられる。本実施の形態の歯科用チェア２では、ヘッドレスト１４は、患者の頭部が診療等に好ましい位置になるように、背面部２１に対して図中矢印Ｄで示す方向に移動可能に設けられている。
アームレスト１５は、着座部１２のうち一方の側面（この例では、着座部１２に座った患者の左側）から上方に向かって延びるように設けられている。
【００１９】
ここで、歯科用チェア２は、通常時は、図１に示すように、背もたれ部２０が着座部１２に対して予め定められた角度で立った状態となっている。そして、歯科用診療装置１において診療を行う場合には、通常、背もたれ部２０が立った状態で着座部１２に患者が座り背もたれ部２０によりかかった後、医師等が背もたれ部２０を倒す操作を行うことで、図中矢印Ｃで示すように、背もたれ部２０が後方側（図１の左側）に倒れるようになっている。
【００２０】
ところで、身長が低く座高が低い子供等の患者に対して診療を行う場合、着座部１２に座った状態では、ヘッドレスト１４に患者の頭部が届かない場合がある。
また、背もたれ部２０の形状や接続部１３の移動動作等によっては、背もたれ部２０を倒すのに伴って着座部１２からヘッドレスト１４までの距離が変動する場合がある。この場合、背もたれ部２０を倒す前の状態でヘッドレスト１４に患者の頭部が届いている場合であっても、背もたれ部２０を倒すことで患者の頭部がヘッドレスト１４からずれるおそれがある。
【００２１】
患者の頭部がヘッドレスト１４に届かない場合やヘッドレスト１４からずれた場合、背もたれ部２０を倒した後、診療を行う前に、頭部がヘッドレスト１４に乗るように患者に移動してもらう必要があり、患者に煩わしさを感じさせる場合がある。
これに対し、本実施の形態の歯科用チェア２では、例えば身長（座高）が低い子供等の患者に対して診療を行う場合には、着座部１２ではなくシート部材３０の後述するロール状座部３１に患者を座らせることで、上記課題を解決している。
【００２２】
続いて、シート部材３０の構成について説明する。
図３、図４（ａ）〜（ｂ）は、本実施の形態が適用されるシート部材３０の構成を示した図である。図３は、シート部材３０の斜視図であり、図４（ａ）は、シート部材３０を図３におけるＩＶＡ側から見た図であり、図４（ｂ）は、シート部材３０を図３におけるＩＶＢ側から見た図である。
図３および図４（ａ）〜（ｂ）に示すように、シート部材３０は、患者が腰掛けるための座部の一例としてのロール状座部３１と、ロール状座部３１に腰かけた患者が寄りかかる背面シート３２と、ロール状座部３１および背面シート３２を支持する支持板３３とを備えている。
【００２３】
図５は、本実施の形態が適用されるロール状座部３１の構成を示した斜視図である。
図５に示すように、ロール状座部３１は、円柱状の芯材３１１と、芯材３１１の周囲に設けられ弾性を有するクッション材３１２とを備えている。また、ロール状座部３１の両端には、芯材３１１の軸方向と直交する方向に突出し、支持板３３に固定される固定部材３１３が設けられている。
本実施の形態のロール状座部３１では、芯材３１１およびクッション材３１２は、固定部材３１３に対して回転しないように固定されている。
【００２４】
図３および図４（ａ）〜（ｂ）に戻り、背面シート３２は、全体として図中下方から上方に向かうに従い横幅が小さくなる略台形板状の形状を有している。また、図４（ａ）に示すように、背面シート３２は、ロール状座部３１の図中上方に延び平坦な平坦部３２ａと、平坦部３２ａの側方に設けられ平坦部３２ａと比較して厚みの大きい側部３２ｂとを有している。平坦部３２ａおよび側部３２ｂは、それぞれ、弾性を有する部材により構成される。
【００２５】
支持板３３は、全体として背面シート３２に倣った略台形板状の形状を有している。そして、支持板３３は、背面シート３２の裏面側に設けられ、背面シート３２が全面に亘って取り付けられる。
図４（ｂ）に示すように、本実施の形態の支持板３３には、背面シート３２が支持される側とは反対側に突出し、背もたれ部２０における背面部２１（図１参照）の引っ掛け部２１１（図２参照）に引っ掛けられる鉤状部３３１が設けられている。鉤状部３３１は、支持板３３における上方側に２つ設けられている。そして、それぞれの鉤状部３３１は、上方から下方に向かって曲がった形状を有している。
【００２６】
また、図４（ｂ）に示すように、本実施の形態の支持板３３には、背面部２１の受け部２１２（図２参照）に係合する係合部３３２が設けられている。係合部３３２は、支持板３３において鉤状部３３１より下方の左右両側にそれぞれ設けられている。係合部３３２および受け部２１２の構成は特に限定されないが、例えばマジックテープ（登録商標）やスナップボタン等、押圧により互いに係合し固定されるものを用いることが、シート部材３０の取り付けの簡易性の観点から好ましい。
【００２７】
図６は、背面部２１に対してシート部材３０を取り付けた歯科用チェア２の状態を説明するための図である。なお、図６では、倒した状態の背もたれ部２０およびヘッドレスト１４を、破線にて示している。
図６および上述した図３に示すように、シート部材３０を背面部２１に取り付けた状態では、ロール状座部３１が、クッション材３１２から前方（着座部１２が延びる側）に向かってから突出した状態となる。本実施の形態では、ロール状座部３１の突出量Ｄ１は、およそ１４０ｍｍとなっている。
【００２８】
また、図６に示すように、着座部１２からロール状座部３１までの高さが、予め定められた高さＤ２となっている。言い換えると、ロール状座部３１は、着座部１２から上方に浮いた状態となっている。
これにより、ロール状座部３１からヘッドレスト１４までの距離が、着座部１２からヘッドレスト１４までの距離よりも短くなっている。本実施の形態では、ロール状座部３１からヘッドレスト１４までの距離Ｄ３は、ヘッドレスト１４を一番下まで下げた状態で、およそ４９０ｍｍとなっている。
【００２９】
また、この例では、着座部１２からロール状座部３１までの高さＤ２は、およそ１４７ｍｍとなっている。なお、高さＤ２は、ロール状座部３１に座った患者（子供）が、ロール状座部３１と着座部１２との間に足等を入り込ませないような値とすることが好ましい。
【００３０】
上述したように、歯科用診療装置１において診療を行う際には、歯科用チェア２の背もたれ部２０を後方に倒す。ここで、背もたれ部２０を倒す際には、シート部材３０およびヘッドレスト１４は、背もたれ部２０と一体として倒れるようになっている。これにより、本実施の形態の歯科用チェア２では、図５に示すように、シート部材３０のロール状座部３１からヘッドレスト１４までの距離Ｄ３は、背もたれ部２０を倒す前と背もたれ部２０を倒した後とで、変化しないようになっている。
【００３１】
続いて、本実施の形態の歯科用診療装置１の使用状態について説明する。図７（ａ）〜（ｂ）および図８（ａ）〜（ｂ）は、歯科用チェア２に患者が座った歯科用診療装置１の状態を示した図である。図７（ａ）〜（ｂ）は、歯科用チェア２に患者として身長が１００ｃｍの子供が座った状態を示しており、図８（ａ）〜（ｂ）は、歯科用チェア２に患者として身長が１３０ｃｍの子供が座った状態を示している。また、図７（ａ）および図８（ａ）は、歯科用チェア２において背もたれ部２０を立てた状態を示しており、図７（ｂ）および図８（ｂ）は、歯科用チェア２において背もたれ部２０を倒した状態を示している。
【００３２】
図７（ａ）および図８（ａ）に示すように、本実施の形態の歯科用診療装置１にて患者の診療を行う場合、患者は、まず、着座部１２上に乗り、シート部材３０のロール状座部３１に腰かける。同図に示すように、患者は、着座部１２に足を曲げた状態で置き、ロール状座部３１に腰かける。この際、ロール状座部３１の両端を掴みながら腰かけることにより、ロール状座部３１の幅が狭い場合であっても安定して座ることができるため、好ましい。本実施の形態では、ロール状座部３１の両端が、掴み部として機能する。
【００３３】
そして、患者がロール状座部３１に腰かけた状態で、ヘッドレスト１４を上下方向に移動させ、患者の頭部の位置とヘッドレスト１４の位置を合わせる。
上述したように、本実施の形態では、ロール状座部３１からヘッドレスト１４までの距離Ｄ３が、着座部１２からヘッドレスト１４までの距離と比較して短くなっている。このため、患者が身長の低い子供の場合であっても、ロール状座部３１に腰をかけることでヘッドレスト１４まで頭部が届くようになる。
【００３４】
本実施の形態の歯科用診療装置１では、図７（ａ）に示すように、例えば身長が１００ｃｍ程度の患者の場合、ヘッドレスト１４を一番下に下げた状態で、ロール状座部３１に腰をかけた患者の頭部がヘッドレスト１４の位置にくるようになっている。
また、図８（ａ）に示すように、例えば身長が１３０ｃｍ程度の患者の場合、ヘッドレスト１４を所定の位置に上昇させることで、ロール状座部３１に腰をかけた患者の頭部がヘッドレスト１４の位置にくるようになっている。
【００３５】
続いて、患者がロール状座部３１に腰かけた後、医師等の操作により背もたれ部２０が後方に倒される。具体的には、患者がロール状座部３１に腰かけ、頭部をヘッドレスト１４に載せ、足を着座部１２上に置いた状態で、背もたれ部２０が後方に倒される。
ここで、上述したように、ロール状座部３１は、背もたれ部２０およびヘッドレスト１４に連動して移動する。言い換えると、ロール状座部３１からヘッドレスト１４までの距離Ｄ３（図６参照）は、背もたれ部２０を倒す動作によっても変わらないようになっている。
【００３６】
これにより、図７（ａ）および図８（ａ）に示すように背もたれ部２０を立てた状態でロール状座部３１に座った患者の頭部とヘッドレスト１４の位置とが合っている場合、背もたれ部２０を倒した状態でも、図７（ｂ）および図８（ｂ）に示すように、ヘッドレスト１４から患者の頭部がずれないようになっている。
この結果、本実施の形態の歯科用チェア２では、背もたれ部２０を倒した後、診療を始める前に、患者に頭部の位置を移動してもらう必要が無くなり、患者に煩わしさを与えにくくなる。
【００３７】
また、図７（ｂ）および図８（ｂ）に示すように、患者は、足を着座部１２に置いた状態で診療を受ける。上述したように、ロール状座部３１は円筒形状を有しているため、例えば診療を受ける際に患者が足を着座部１２に伸ばしたような場合であっても、ロール状座部３１により足が妨げられにくい。また、ロール状座部３１の表面には、弾性を有するクッション材３１２が設けられている。これにより、診療を受ける際に患者の足がロール状座部３１に当たった場合であっても、患者に不快感を与えにくい。
【００３８】
なお、例えば年齢が小さい子供の患者に対して診療を行う場合には、診療中にロール状座部３１の両端を掴んだ状態とさせることが好ましい。これにより、患者が、診療中等に歯科用診療装置１の他の部分をいじったり、歯科用チェア２の隙間に手を挟んだりすることが抑制される。
【００３９】
続いて、背もたれ部２０の背面部２１に対するシート部材３０の取り付け方法について説明する。図９（ａ）〜（ｂ）は、シート部材３０の取り付け方法を示した図である。
背もたれ部２０にシート部材３０を取り付ける際には、背もたれ部２０の背面部２１と、シート部材３０の支持板３３とを対向させる。そして、図９（ａ）にて矢印Ｘ１で示すように、シート部材３０を背面部２１に対して上方から下方に向けてスライドさせることで、シート部材３０の支持板３３に設けられたそれぞれの鉤状部３３１を、背面部２１の引っ掛け部２１１にそれぞれ引っ掛ける。
【００４０】
ここで、鉤状部３３１および引っ掛け部２１１は、それぞれ支持板３３および背面部２１の上方に設けられている。言い換えると、鉤状部３３１および引っ掛け部２１１は、シート部材３０の取り付けを行う作業者の目に近い位置に設けられている。このため、本実施の形態では、鉤状部３３１を背面部２１の引っ掛け部２１１に挿入しやすくなっている。
【００４１】
鉤状部３３１を引っ掛け部２１１に挿入した後、続いて、図９（ａ）にて示すように、シート部材３０を背面シート３２側から背面部２１に向けて押し付ける。具体的には、シート部材３０のうち係合部３３２が設けられた部分を、背面部２１の受け部２１２に対して押し付けるようにする。これにより、図９（ｂ）に示すように、それぞれの係合部３３２が、それぞれの受け部２１２に嵌め合わされる。
【００４２】
なお、背もたれ部２０からシート部材３０を取り外す際には、上記の操作を逆の手順で行えばよい。すなわち、まず、シート部材３０の下部を掴んで手前側に引くことで、それぞれの係合部３３２を受け部２１２から取り外す。続いて、シート部材３０全体を上方に持ち上げることで、それぞれの鉤状部３３１を引っ掛け部２１１から外す。
これにより、シート部材３０が背もたれ部２０の背面部２１から取り外される。
【００４３】
このように、本実施の形態の歯科用チェア２では、鉤状部３３１を挿入する操作および係合部３３２を嵌め合わせる操作という簡易な操作により、背もたれ部２０に対してシート部材３０を取り付けることが可能となっている。
【００４４】
そして、シート部材３０が背もたれ部２０に取り付けられた状態では、シート部材３０は、背面部２１に対して、上方側に位置する鉤状部３３１と下方側に位置する係合部３３２との双方により固定される。これにより、例えばシート部材３０を背面部２１に対して上方側または下方側の一方のみで固定する場合と比較して、背面部２１に対するシート部材３０のずれが抑制される。
特に本実施の形態では、シート部材３０の鉤状部３３１を引っ掛け部２１１に対して上方から挿入し引っ掛けている。このため、例えばロール状座部３１に患者が座りシート部材３０に上方から下方に向かう力がかかった場合であっても、シート部材３０が下方にずれることが抑制される。
【００４５】
なお、ここでは、シート部材３０として、ロール状座部３１を有する子供用シート部材を用いた例について説明した。しかし、通常の大人用シート部材についても、本実施の形態のシート部材３０と同様に、鉤状部３３１および係合部３３２を設けることで、同様の操作で背面部２１に対して取り付け・取り外しを行うことができる。
【００４６】
（実施の形態２）
続いて、本発明の実施の形態２について説明する。図１０（ａ）〜（ｂ）は、実施の形態２が適用されるシート部材３０の構成を示した図である。実施の形態２のシート部材３０では、ロール状座部３１（図２参照）とは異なる形状のサドル状座部３５を有している。なお、以下の説明において、実施の形態１と同様の構成については、同様の符号を用い、ここでは詳細な説明は省略する。
図１０（ａ）〜（ｂ）に示すように、サドル状座部３５は、座部の一例であって、患者が跨るサドル部３５ａと、サドル部３５ａの左右両側に設けられサドル部３５ａに跨った患者が掴むための掴み部の一例としての摘み部３５ｂと、サドル部３５ａと摘み部３５ｂとの間に設けられサドル部３５ａに跨った患者が足を入れるための凹部３５ｃとを有している。また、サドル状座部３５のサドル部３５ａおよび摘み部３５ｂの表面は、弾性を有する部材（不図示）により覆われている。
【００４７】
実施の形態２のシート部材３０が取り付けられた歯科用チェア２にて診療を行う際には、実施の形態１と同様に、着座部１２に乗り、シート部材３０におけるサドル状座部３５のサドル部３５ａに跨るとともに、両足をそれぞれ凹部３５ｃに通す。この際、サドル状座部３５の摘み部３５ｂを掴みながらサドル部３５ａに跨ることにより、サドル部３５ａに対して安定して座ることができるため、好ましい。
【００４８】
続いて、患者がサドル状座部３５のサドル部３５ａに跨った後、医師等の操作により背もたれ部２０が後方に倒される。
ここで、実施の形態１と同様に、サドル状座部３５は、背もたれ部２０およびヘッドレスト１４と連動して移動し、サドル状座部３５からヘッドレスト１４までの距離は、背もたれ部２０を倒す動作によっても変わらないようになっている。
【００４９】
これにより、実施の形態１と同様に、背もたれ部２０を立てた状態でサドル状座部３５に座った患者の頭部とヘッドレスト１４の位置とが合っている場合、背もたれ部２０を倒した状態でも、ヘッドレスト１４から患者の頭部がずれないようになっている。
この結果、実施の形態２のシート部材３０を用いた歯科用チェア２では、実施の形態１と同様に、背もたれ部２０を倒した後、診療を始める前に、患者に頭部の位置を移動してもらう必要が無くなり、患者に煩わしさを与えにくくなる。
【００５０】
また、診療を行っている際には、診療を受ける患者は、サドル状座部３５の凹部３５ｃに足を通し、着座部１２に足を置くことが可能となっている。言い換えると、診療を行う際に、着座部１２に伸ばした患者の足がサドル状座部３５によって妨げられないようになっている。
また、上述したように、サドル状座部３５の表面は弾性を有する部材により覆われているため、患者の足がサドル状座部３５に当たった場合であっても、患者に不快感を与えにくい。
【００５１】
なお、シート部材３０の形状は、ロール状座部３１やサドル状座部３５のように患者が座ることが可能な部分が設けられていれば、その形状は実施の形態１や実施の形態２に示した形状に限定されるものではない。
【００５２】
また、図示は省略するが、実施の形態１または実施の形態２において、ロール状座部３１やサドル状座部３５は、シート部材３０に対して収納可能な構成としてもよい。すなわち、例えば患者の身長が高い場合には、ロール状座部３１またはサドル状座部３５をシート部材３０に収納し、着座部１２に座らせて診療を行う。一方、患者の身長が低い場合には、ロール状座部３１またはサドル状座部３５をシート部材３０から引き出し、上述したようにロール状座部３１またはサドル状座部３５に座らせて診療を行う。
このような構成を採用することで、患者の身長によってシート部材３０を交換する必要がなくなり、利便性が向上する。
【符号の説明】
【００５３】
１…歯科用診療装置、２…歯科用チェア、２０…背もたれ部、３０…シート部材、３１…ロール状座部、３５…サドル状座部
【図１】
2016209108.tif 000003
【図２】
2016209108.tif 000004
【図３】
2016209108.tif 000005
【図４】
2016209108.tif 000006
【図５】
2016209108.tif 000007
【図６】
2016209108.tif 000008
【図７】
2016209108.tif 000009
【図８】
2016209108.tif 000010
【図９】
2016209108.tif 000011
【図１０】
2016209108.tif 000012